(57)【要約】【課題】ユーザが視聴したコンテンツによるユーザの行動への影響の有無を把握することができる情報処理装置、情報処理システム、端末装置、情報処理方法、及び情報処理プログラムを提供する。【解決手段】記憶部はユーザの行動に対応付けられた設問を示す設問データを記憶し、行動処理部はユーザが行った行動に係る行動情報を取得し、設問制御部は前記取得した行動情報が示す行動以前に前記ユーザが視聴したコンテンツに係る視聴データに基づいて、設問データを選択する。【選択図】図２
2015032921.tif 000002
【特許請求の範囲】
【請求項１】
ユーザの行動に対応付けられた設問を示す設問データを記憶した記憶部と、
ユーザが行った行動に係る行動情報を取得する行動処理部と、
前記取得した行動情報が示す行動以前に、前記ユーザが視聴したコンテンツに係る視聴データに基づいて、設問データを選択する設問制御部と、
を備える情報処理装置。
【請求項２】
前記行動処理部は、前記行動情報として前記ユーザが行った消費に関連する行動を示す行動情報を取得し、
前記設問制御部は、前記行動処理部が取得した行動情報の対象となる財に対応付けられた設問データを抽出する設問抽出部、を備えることを特徴とする請求項１に記載の情報処理装置。
【請求項３】
前記設問制御部は、
前記設問抽出部が抽出した設問データについて、前記ユーザの属性又は前記視聴データに基づいて配信するか否かを判定する配信条件判定部、を備えることを特徴とする請求項２に記載の情報処理装置。
【請求項４】
情報処理装置と端末装置とを備える情報処理システムであって、
前記情報処理装置は、
ユーザの行動に対応付けられた設問を示す設問データを記憶した記憶部と、
ユーザが行った行動に係る行動情報を取得する行動処理部と、
前記取得した行動情報が示す行動以前に、前記ユーザが視聴したコンテンツに係る視聴データに基づいて、設問データを選択する設問制御部と、
を備え、
前記端末装置は、
受信したコンテンツを表示する表示部と、
前記表示部が表示したコンテンツに係る視聴データを前記視聴データとして取得して前記情報処理装置に送信する視聴データ取得部と
前記情報処理装置から前記設問データを受信する設問処理部と、
を備えることを特徴とする情報処理システム。
【請求項５】
受信した番組のコンテンツを表示する表示部と、
前記表示部が表示したコンテンツに係る視聴データを取得し、前記取得した視聴データを情報処理装置に送信する視聴データ取得部と
前記情報処理装置から前記視聴データに基づいてユーザが行った行動以前に視聴したコンテンツに基づいて選択された設問データを受信する設問処理部と、
を備えることを特徴とする端末装置。
【請求項６】
操作入力に応じてユーザが行う行動に係る行動情報を前記行動に係る機器に送信する制御部と、
情報処理装置から前記ユーザが視聴した視聴データに基づいて前記ユーザが行った行動以前に視聴したコンテンツに基づいて選択された設問データを受信する設問処理部と、
を備えることを特徴とする端末装置。
【請求項７】
情報処理装置における情報処理方法において、
ユーザが行った行動に係る行動情報を取得する行動処理過程と、
前記取得した行動情報が示す行動以前に前記ユーザが視聴したコンテンツに係る視聴データに基づいて、ユーザの行動に対応付けられた設問を示す設問データを記憶した記憶部から設問データを選択する設問制御過程と、
を有する情報処理方法。
【請求項８】
情報処理装置のコンピュータに、
ユーザが行った行動に係る行動情報を取得する行動処理手順、
前記取得した行動情報が示す行動以前に前記ユーザが視聴したコンテンツに係る視聴データに基づいて、ユーザの行動に対応付けられた設問を示す設問データを記憶した記憶部から設問データを選択する設問制御手順、
を実行させるための情報処理プログラム。
【発明の詳細な説明】
【技術分野】
【０００１】
本発明は、情報処理装置、情報処理システム、端末装置、情報処理方法、及び情報処理プログラムに関する。
【背景技術】
【０００２】
従来から、商品やサービスといった財について、調査機関がそれらの知名度、評判、満足度等の調査が行われる。ここで、調査機関は、不特定又は特定の調査対象者（モニタ）に対してアンケートを行う。調査対象者には、テレビジョン放送を視聴する視聴者が選択される場合がある。他方、財の提供業者は、調査結果に基づいて、広告、宣伝、企画、立案、等の方針を定める。
【０００３】
アンケートでは、過去に放送されたその財物に関するＣＭ（Ｃｏｍｍｅｒｃｉａｌ  Ｍｅｓｓａｇｅ、テレビジョン放送で放送される宣伝、広告を目的とした短い番組）について調査対象者に回答が求められる。特許文献１には、放送番組、特に広告番組に関する視聴状況を把握するために、携帯電話機（端末装置）が受信する番組を特定する番組特定情報をサーバ装置に送信し、その番組、特にＣＭに関するアンケートデータをサーバ装置から受信する通信ネットワークシステムについて開示されている。ここで、携帯電話機は、番組特定情報に応じたアンケートデータを受信する。
【先行技術文献】
【特許文献】
【０００４】
【特許文献１】特開２００６−５７６７号公報
【発明の概要】
【発明が解決しようとする課題】
【０００５】
しかしながら、特許文献１に記載のアンケートデータは、番組特定情報に応じて定められるため、調査対象者によるアンケートへの回答と過去に行われた放送番組の視聴の度合いとの関係が不明であった。その関係とは、例えば、広告番組を視聴して、その広告番組に係る商品を購入した回答者の割合と、その広告番組の視聴回数との関係である。従って、放送番組によるユーザ（調査対象者には限られない）の行動への影響の有無についての判断が、困難であるという課題があった。そのような行動には、例えば、商品の購入の他、サービスの利用、これらの商品やサービスの検索、調査、等がある。
【０００６】
本発明は上記の点に鑑みてなされたものであり、ユーザが視聴したコンテンツによるユーザの行動への影響の有無を把握することができる情報処理装置、情報処理システム、端末装置、情報処理方法、及び情報処理プログラムを提供する。
【課題を解決するための手段】
【０００７】
（１）本発明は上記の課題を解決するためになされたものであり、本発明の一態様は、ユーザの行動に対応付けられた設問を示す設問データを記憶した記憶部と、ユーザが行った行動に係る行動情報を取得する行動処理部と、前記取得した行動情報が示す行動以前に前記ユーザが視聴したコンテンツに係る視聴データに基づいて、設問データを選択する設問制御部と、を備える情報処理装置である。
【０００８】
（２）本発明の他の態様は、（１）の情報処理装置であって、前記行動処理部は、前記行動情報として前記ユーザが行った消費に関連する行動を示す行動情報を取得し、前記設問制御部は、前記行動処理部が取得した行動情報の対象となる財に対応付けられた前記コンテンツに係る視聴データに基づいて、設問データを抽出する設問抽出部、を備えることを特徴とする。
【０００９】
（３）本発明の他の態様は、（２）の情報処理装置であって、前記設問制御部は、前記設問抽出部が抽出した設問データについて、前記ユーザの属性又は前記視聴データに基づいて配信するか否かを判定する配信条件判定部、を備えることを特徴とする。
【００１０】
（４）本発明の他の態様は、情報処理装置と端末装置とを備える情報処理システムであって、前記情報処理装置は、ユーザの行動に対応付けられた設問を示す設問データを記憶した記憶部と、ユーザが行った行動に係る行動情報を取得する行動処理部と、前記取得した行動情報が示す行動以前に前記ユーザが視聴したコンテンツに係る視聴データに基づいて、設問データを選択する設問制御部と、を備え、前記端末装置は、受信したコンテンツのコンテンツを表示する表示部と、前記表示部が表示したコンテンツに係る視聴データを前記視聴データとして取得して前記情報処理装置に送信する視聴データ取得部と前記情報処理装置から前記設問データを受信する設問処理部と、を備えることを特徴とする情報処理システムである。
【００１１】
（５）本発明の他の態様は、受信した番組のコンテンツを表示する表示部と、前記表示部が表示したコンテンツに係る視聴データを取得し、前記取得した視聴データを情報処理装置に送信する視聴データ取得部と前記情報処理装置から前記視聴データに基づいてユーザが行った行動以前に視聴したコンテンツに基づいて選択された設問データを受信する設問処理部と、を備えることを特徴とする端末装置である。
【００１２】
（６）本発明の他の態様は、操作入力に応じてユーザが行う行動に係る行動情報を前記行動に係る機器に送信する制御部と、情報処理装置から前記ユーザが視聴した視聴データに基づいて前記ユーザが行った行動以前に視聴したコンテンツに基づいて選択された設問データを受信する設問処理部と、を備えることを特徴とする端末装置である。
【００１３】
（７）本発明の他の態様は、情報処理装置における情報処理方法において、ユーザが行った行動に係る行動情報を取得する行動処理過程と、前記取得した行動情報が示す行動以前に前記ユーザが視聴したコンテンツに係る視聴データに基づいて、ユーザの行動に対応付けられた設問を示す設問データを記憶した記憶部から、設問データを選択する設問制御過程と、を有する情報処理方法である。
【００１４】
（８）本発明の他の態様は、情報処理装置のコンピュータに、ユーザが行った行動に係る行動情報を取得する行動処理手順、前記取得した行動情報が示す行動以前に前記ユーザが視聴したコンテンツに係る視聴データに基づいて、ユーザの行動に対応付けられた設問を示す設問データを記憶した記憶部から、設問データを選択する設問制御手順、を実行させるための情報処理プログラムである。
【発明の効果】
【００１５】
ユーザが視聴したコンテンツによるユーザの行動への影響の有無を把握することができる。
【図面の簡単な説明】
【００１６】
【図１】本発明の第１の実施形態に係る情報処理システムの構成を示すブロック図である。
【図２】本実施形態に係る情報処理装置の構成を示すブロック図である。
【図３】ユーザデータの一例を示す図である。
【図４】ユーザ連携データの一例を示す図である。
【図５】視聴データの一例を示す図である。
【図６】放送データの一例を示す図である。
【図７】放送データの他の例を示す図である。
【図８】設問抽出データの一例を示す図である。
【図９】設問属性データの一例を示す図である。
【図１０】配信条件データの一例を示す図である。
【図１１】本実施形態に係る情報管理装置の構成を示すブロック図である。
【図１２】本実施形態に係る端末装置の構成を示すブロック図である。
【図１３】本実施形態に係る端末装置の構成を示すブロック図である。
【図１４】本実施形態に係る情報処理装置が行う情報処理を示すフローチャートである。
【図１５】本実施形態に係る回答処理部が行う処理の例を示すフローチャートである。
【図１６】本実施形態に係る端末装置が行う情報処理を示すフローチャートである。
【図１７】本発明の第２の実施形態に係る情報処理システムの構成を示すブロック図である。
【図１８】本実施形態に係る情報処理装置の構成を示すブロック図である。
【図１９】本実施形態に係る情報収集装置の構成を示すブロック図である。
【発明を実施するための形態】
【００１７】
（第１の実施形態）
以下、図面を参照しながら本発明の第１の実施形態について説明する。
図１は、本実施形態に係る情報処理システム１の構成を示すブロック図である。
情報処理システム１は、情報処理装置１１、情報管理装置２１、端末装置３１、及び端末装置４１を含んで構成される。端末装置３１及び４１は例示であって、端末装置の個数は、これに限定されない。情報処理装置１１、情報管理装置２１、端末装置３１及び端末装置４１は、ネットワーク５１に接続され、相互にデータを送信及び受信することができる通信機能を備える。ネットワーク５１は、例えば、インターネット、公衆無線通信網（ＰＬＭＮ：Ｐｕｂｌｉｃ  Ｌａｎｄ  Ｍｏｂｉｌｅ  Ｎｅｔｗｏｒｋ）、構内通信網（ＬＡＮ：Ｌｏｃａｌ  Ａｒｅａ  Ｎｅｔｗｏｒｋ）、又はこれらの任意の組み合わせである。
【００１８】
情報処理装置１１には、ユーザの行動に対応付けられた設問を示す設問データ（例えば、アンケート）が予め記憶され、ユーザが行った行動に係る行動データを情報管理装置２１から取得する。情報処理装置１１は、端末装置３１から受信した視聴データに基づいて、取得した行動データが示す行動以前に視聴した番組に係る設問データを選択する。情報処理装置１１は、例えば、市場調査業者、放送事業者、その行動に係る財物の販売もしくはサービス提供業者等が使用するサーバ装置である。
また、情報処理装置１１には、対象となるユーザと、そのユーザが使用する端末装置３１、４１を識別するユーザデータが、ネットワーク５１を介して情報管理装置２１から入力される。
【００１９】
ここで、ユーザとは、例えば、端末装置４１を用いて、電気通信回線を通じて財の提供を受ける者である。典型的なユーザには、市場調査における調査対象者、商品を購入する不特定多数の最終消費者、提供された役務を利用する利用者（会員）が含まれる。調査対象者にあっては、調査機関以外の者、例えば、商品の製造者、販売者、サービスの提供者、等、財の提供者に対する行動が調査対象になる。
財とは、ユーザの欲望を満たすために役に立つものである。財には、商品、サービス（役務）、それらの商品およびサービスに関する情報、商品およびサービスの提供対象者（会員）の資格、等が含まれる。商品には、独立して取引の対象となる有体物やディジタルデータが含まれる。サービスには、他人のために行う労務や便益が含まれる。
【００２０】
ユーザの行動とは、例えば、端末装置４１を用いて電気通信回線を通じて財の提供を受けるためのユーザの動作もしくは処理である。それらの動作もしくは処理は、例えば、財の提供者が管理する情報管理装置（例えば、情報管理装置２１）で行われる。財の提供を受けるための動作もしくは処理には、選択される財の候補となるデータ（例えば、広告情報、仕様情報、等）の取得もしくは閲覧、財の注文、購入もしくは取り下げ、提供条件の変更、対価の支払いに係る操作もしくは処理が含まれる。それらの商品、サービスが対価の支払いとなっている消費に関連する行動を消費行動と呼ぶ。
消費行動には、例えば、取り扱われている商品の広告を示す広告情報を要求すること、提供者が管理するサーバ装置にユーザ登録（入会）要求データを送信すること、ユーザが購入しようとする商品の注文データを送信すること、等が含まれる。また、これらの行動に係る個々の処理をイベントと呼ぶ。
【００２１】
情報管理装置２１は、ユーザの行動に係る処理、つまりイベントを処理する装置である。情報管理装置２１は、例えば、端末装置４１から受信したイベント要求データが示すイベントに応じた処理（例えば、ユーザ登録に係る処理、広告情報の送信、商品やサービスの注文、対価の決済、サービスの提供、等）を行う。情報管理装置２１は、例えば、通信販売事業者が管理するサーバ装置である。
【００２２】
端末装置３１は、コンテンツ（例えば、テレビジョン放送番組）を示すコンテンツデータを、放送伝送路（例えば、地上波による伝搬路、構内無線通信網、又はこれらの組み合わせ）を介して受信し、受信したコンテンツデータが示す映像を表示する。放送伝送路は、放送設備から不特定多数又は特定の端末装置（例えば、端末装置３１）に一斉にコンテンツデータを無線又は有線で送信する伝送路である。放送伝送路は、ネットワーク５１とは別個の伝送路である。
端末装置３１は、例えば、双方向通信機能を備えたテレビジョン受信装置である。端末装置３１は、テレビジョン放送に係るコンテンツデータを受信することができれば、いかなる電子機器、例えば、テレビジョン放送受信機能付の多機能携帯電話であってもよい。
【００２３】
端末装置３１は、映像を表示したコンテンツに係る視聴データ（視聴情報）を取得し、取得した視聴データを、ネットワーク５１を介して情報処理装置１１に出力する。以下の説明では、特に断りがない限り、放送番組には、ユーザに対して財を宣伝することや、購入もしくは利用を促すことを目的とするＣＭも放送番組に含まれる。
端末装置３１は、ユーザの行動以前に表示したコンテンツに基づいて選択された設問データを情報処理装置１１から通信伝送路で受信し、受信した設問データを表示部に表示する。
【００２４】
端末装置４１は、ユーザの操作入力に応じて情報管理装置２１に対してユーザの行動、即ち、イベントを要求する処理を行い、要求したイベントによって生成されたデータを取得する。端末装置４１は、例えば、イベント要求データを生成し、生成したイベント要求データを情報管理装置２１に送信する。端末装置４１は、ユーザの行動に係る操作入力を受け付けることができ、ネットワーク５１に接続してデータを送信及び受信することができる電子機器、例えば、多機能携帯電話（いわゆるスマートフォンを含む）、タブレット端末装置、等である。端末装置４１は、そのユーザの行動以前に表示したコンテンツに基づいて選択された設問データを情報処理装置１１から受信し、受信した設問データを表示部に表示する。
【００２５】
（情報処理装置１１の構成）
次に、情報処理装置１１の構成について説明する。以下の説明では、情報処理装置１１が、調査機関が管理するサーバ装置であって、ユーザが調査対象者である場合を例にとる。
図２は、本実施形態に係る情報処理装置１１の構成の概略を示すブロック図である。
情報処理装置１１は、ユーザデータ登録部１１１、ユーザデータ記憶部１１２、視聴データ処理部１１３、視聴データ記憶部１１４、アンケート（設問情報）記憶部１１５、アンケート制御部１１６、放送データ取得部１１７、放送データ記憶部１１８、イベント処理部１１９、及び通信部１２０を含んで構成される。
【００２６】
ユーザデータ登録部１１１は、端末装置３１からユーザ登録要求データを受信したことに応じて、ユーザデータ（例えば、会員情報）を生成する。ユーザデータは、例えば、ユーザ識別データ、ユーザ属性データ、及び機器データを対応付けたデータのセットを含んだデータである。ユーザ識別データは端末装置３１を使用するユーザを識別するデータである。ユーザ属性データは、そのユーザの属性（例えば、生年月日、性別、居住地域、家族構成、興味のある種別（ジャンル）、等）を示すデータである。機器データは、その機器（例えば、端末装置３１、４１）を識別するデータ、例えば、ＭＡＣ（Ｍｅｄｉａ  Ａｃｃｅｓｓ  Ｃｏｎｔｒｏｌ）アドレスである。ユーザデータ登録部１１１は、生成したユーザデータをユーザデータ記憶部１１２に記憶する。なお、ユーザデータ登録部１１１は、操作者（例えば、オペレータ）による操作に応じてユーザデータを取得し、取得したユーザデータをユーザデータ記憶部１１２に記憶する。
【００２７】
ユーザデータ登録部１１１は、ユーザ識別データと会員識別データとを対応付けたデータのセットを含んだユーザ連携データ（例えば、連携情報）を取得し、取得したユーザ連携データをユーザデータ記憶部１１２に記憶する。会員識別データは、情報管理装置２１を管理する事業者が提供する商品の提供対象者（例えば、会員）を識別するデータである。ユーザデータ登録部１１１は、各ユーザについて一意に会員識別データを定める。ユーザデータ登録部１１１は、操作者による操作に応じて会員識別データを取得してもよいし、端末装置３１から会員識別データをユーザ登録要求データとともに受信してもよい。また、ユーザデータ登録部１１１は、機器データに基づいて会員識別データを要求することを示す会員識別要求データを情報管理装置２１に送信し、情報管理装置２１から機器データに対応する会員識別データを受信してもよい。
ユーザデータ記憶部１１２には、ユーザデータとユーザ連携データが記憶される。ユーザデータとユーザ連携データの例については、後述する。
【００２８】
視聴データ処理部１１３は、端末装置３１から視聴データ（例えば、視聴情報）を受信し、受信した視聴データを視聴データ記憶部１１４に記憶する。視聴データは、例えば、放送番組のコンテンツデータを受信した端末装置３１を識別する機器データ、コンテンツを識別するコンテンツ識別情報（例えば、番組情報）、及び受信した日時を示す受信日時情報が対応付けられたデータのセットを含む。
視聴データ記憶部１１４には、視聴データが記憶される。視聴データの例については、後述する。
【００２９】
アンケート記憶部１１５には、設問の内容を示す設問データと、設問属性データ（例えば、アンケート情報）が記憶されている。設問属性データは、例えば、個々の設問データを識別する設問識別情報、設問の表題を示す設問表題情報、調査の依頼主を示す依頼主情報、回答の有効期間を示す有効期間情報、回答に対する報酬（例えば、ポイント）を示すポイント情報、1件の設問に含まれる個々の質問の数を示す質問数情報、及び配信条件を識別する配信条件識別情報が対応付けられたデータのセットを含む。設問属性データには、１つの設問識別情報について１つの配信条件識別情報が対応付けられてもよいし、複数（例えば、２つ）の配信条件識別情報が対応付けられてもよい。
アンケート記憶部１１５には、設問毎の回答の内容を示す回答データが、その設問データと対応付けて記憶されてもよい。設問属性データの例については後述する。
【００３０】
アンケート記憶部１１５には、さらに設問抽出データ（例えば、アンケート抽出データ）と、配信条件データとが記憶されている。設問抽出データは、例えば、依頼主が提供する商品を示す商品情報、その商品の名称を示す商品名情報、その商品に対してユーザが行ったイベントを示すイベント情報（例えば、実施条件）、及び、設問識別情報（例えば、実施アンケート）を対応付けたデータのセットを含むデータである。
【００３１】
配信条件データは、例えば、配信条件を識別する配信条件識別情報、ユーザの属性を示すユーザ属性情報、既に受信したコンテンツやそのコンテンツの受信回数を示す受信コンテンツ情報（視聴情報）、及び配信件数の制限を示す配信制限情報（例えば、アンケート実施上限数）を対応付けたデータのセットからなるデータである。配信条件データを形成する１つのデータのセットにおいて、構成要素であるユーザ属性情報、受信コンテンツ情報及びユーザ制限情報のいずれか、もしくはその組み合わせが設定されていなくてもよい。設問抽出データ、配信条件データの例については、後述する。
【００３２】
アンケート制御部１１６は、視聴データ記憶部１１４に記憶された視聴データを参照して、イベント処理部１１９から入力されたイベントデータが示すイベントが行われた時刻以前に受信されたコンテンツデータに係る設問データを選択する。アンケート制御部１１６は、選択した設問データを端末装置３１、４１に出力する。アンケート制御部１１６の構成については後述する。
【００３３】
放送データ取得部１１７は、放送事業者が管理する放送設備（図示せず）から放送データ（例えば、番組情報、ＣＭ情報）を取得し、取得した放送データを放送データ記憶部１１８に記憶する。放送データは、例えば、放送されたコンテンツを識別するコンテンツ識別情報、放送された日時を示す放送日時情報、放送事業者（放送局）を示す放送事業者情報、コンテンツの表題（タイトル）を示す表題情報、コンテンツの種別（ジャンル）を示す種別情報が対応付けられたデータのセットを含む。
放送データは、例えば、ＥＰＧ（Ｅｌｅｃｔｒｏｎｉｃ  Ｐｒｏｇｒａｍ  Ｇｕｉｄｅ）である。
放送データ記憶部１１８には、放送データが記憶される。放送データの例については、後述する。
【００３４】
イベント処理部１１９は、情報管理装置２１から受信したイベントデータを設問抽出部１１６１（後述）に出力する。イベント処理部１１９は、予め定めた時間（例えば、５分）毎に情報管理装置２１からイベントデータを受信してもよい。また、イベント処理部１１９は、イベントデータを要求することを示すイベントデータ要求情報を生成し、生成したイベントデータ要求情報を情報管理装置２１に送信してもよい。これに応じて、イベント処理部１１９は、情報管理装置２１からイベント要求データを受信する。
【００３５】
通信部１２０は、ネットワーク５１に接続し、ネットワーク５１に接続された他の機器（例えば、情報管理装置２１、端末装置３１、４１）との間でデータの送受信を行う。通信部１２０は、放送設備から放送伝送路（例えば、放送波）を介して受信したコンテンツデータ（放送データを含む）を放送データ取得部１１７に出力してもよい。通信部１２０は、例えば、ネットワーク５１に接続するための通信インタフェースと放送波を受信するためのチューナとを含んで構成される。
【００３６】
（アンケート制御部１１６の構成）
次に、アンケート制御部１１６の構成について説明する。
アンケート制御部１１６は、設問抽出部１１６１、配信条件判定部１１６２、及び回答処理部１１６３を含んで構成される。
設問抽出部１１６１は、設問抽出データを参照して、イベント処理部１１９から入力されたイベントデータが示すイベントに対応した設問を示す設問識別情報をアンケート記憶部１１５から抽出する。イベントデータは、例えば、上述した会員識別データ、商品名情報、イベント情報、及びイベント時刻情報が対応付けられたデータのセットからなるデータである。商品名情報は、イベント（例えば、購入、広告情報の閲覧、等）の対象となる商品の名称を示す情報である。イベント情報は、そのイベントを示す情報である。イベント時刻情報とは、そのイベントが要求もしくは処理された時刻を示す情報である。
設問抽出部１１６１は、ユーザ連携データを参照して入力されたイベントデータの会員識別データに対応するユーザ識別データをユーザデータ記憶部１１２から抽出する。
設問抽出部１１６１は、抽出した設問識別情報、及びユーザ識別データを配信条件判定部１１６２に出力する。
【００３７】
配信条件判定部１１６２は、ユーザデータを参照して設問抽出部１１６１から入力されたユーザ識別データに対応する機器データ及びユーザ属性データをユーザデータ記憶部１１２から抽出する。
配信条件判定部１１６２は、抽出した機器データに対応付けられた視聴データを視聴データ記憶部１１４から抽出する。
配信条件判定部１１６２は、アンケート抽出データを参照して設問抽出部１１６１から入力された設問識別情報に対応する配信条件識別情報をアンケート記憶部１１５から抽出する。配信条件判定部１１６２は、抽出した配信条件識別情報毎に対応するユーザ属性情報、受信コンテンツ情報、及びユーザ制限情報を、配信条件データを参照してアンケート記憶部１１５から読み出す。
【００３８】
配信条件判定部１１６２は、ユーザデータから抽出されたユーザ属性データ（ユーザ属性データ１）が、アンケート抽出データを参照して抽出された配信条件識別情報に対応するユーザ属性情報（ユーザ属性データ２）が示すユーザ属性を満足するか否かを判定する。例えば、ユーザ属性データ１が示すユーザ属性が、女性、３６歳を示す場合、ユーザ属性データ２が示すユーザ属性が、女性、２０歳以上である場合、配信条件判定部１１６２は、ユーザ属性データ２が示すユーザ属性を満足すると判定する。
【００３９】
配信条件判定部１１６２は、抽出された視聴データが示す視聴状況が、アンケート抽出データを参照して抽出された受信コンテンツ情報が示すコンテンツやその受信回数を満足するか否かを判定する。例えば、視聴データが放送番組１について３回受信されたことを示し、視聴データが放送番組１について５回以上を示す場合、配信条件判定部１１６２は、受信コンテンツ情報が放送番組１について５回以上という条件を満足すると判定する。
【００４０】
配信条件判定部１１６２は、設問抽出部１１６１から入力された設問識別情報に対応する設問データを配信した配信件数が、アンケート抽出データから抽出された配信制限情報が示す配信件数よりも少ないか否かを判定する。ここで、配信条件判定部１１６２は、アンケート記憶部１１５から設問データに対応する配信件数データ（後述）を読み出す。例えば、設問データを配信した配信件数が１５８件であり、配信制限情報が示す配信件数が３００件である場合、配信条件判定部１１６２は、設問データを配信した配信件数が、配信制限情報が示す配信件数よりも少ないと判定する。
【００４１】
配信条件判定部１１６２は、これらの条件を全て満足すると判定された設問識別情報について、その設問識別情報に対応する設問データをアンケート記憶部１１５から読み出す。配信条件判定部１１６２は、読み出した設問データを抽出した機器データが示す端末装置３１、端末装置４１、又はその両方に配信する。端末装置３１、端末装置４１、又はその両方のいずれに配信するかは、ユーザ毎に予め定めておく。
【００４２】
配信条件判定部１１６２は、配信を行う毎に、各設問識別情報（設問データ）について配信件数を１ずつ増加させることによって設問データ毎の配信件数を計数する。配信条件判定部１１６２は、計数した配信件数を示す配信件数データを、その設問データと対応付けてアンケート記憶部１１５に記憶する。
なお、アンケート抽出データにおいて、省略されている構成要素（例えば、配信制限情報）については、配信条件判定部１１６２は、その構成要素に係る判定を行わず、その構成要素に係る条件が満足されているとみなす。
【００４３】
回答処理部１１６３は、配信条件判定部１１６２が配信した設問データに対応する回答データを端末装置３１又は端末装置４１から受信し、アンケート記憶部１１５に記憶する。１人のユーザについて回答データが複数件受信された場合には、回答処理部１１６３は、受信した回答データのうちのいずれか１つ（例えば、最初に受信した回答データ）を有効な回答データとして採用し、残りの回答データを無効な回答データとして削除してもよい。
【００４４】
回答処理部１１６３は、受信した回答データに係る処理を行う。回答処理部１１６３は、例えば、受信した回答データが示す質問毎に集計処理を行う。例えば、質問毎に複数の回答候補（選択肢）が予め定められている場合には、回答処理部１１６３は、回答候補毎の回答数を計数して、回答候補間の回答分布を示す回答分布データを生成する。
【００４５】
１つの設問情報に複数の配信条件識別情報が対応付けられている場合には、回答処理部１１６３は、配信条件識別情報毎に集計処理を行って回答分布データを生成してもよい。その場合、回答処理部１１６３は、生成した回答分布データを配信条件識別情報間で分析処理を行って分析データを生成してもよい。回答処理部１１６３は、例えば、生成した回答分布データが並列して配置された集約回答データを生成してもよい。また、回答処理部１１６３は、配信条件識別情報間の統計処理、例えば、有意差検定、独立性検定、等を行ってもよい。ここで、回答処理部１１６３は、ユーザ属性（例えば、性別、年齢層、必ずしも配信条件と対応付けられていなくてもよい）毎に統計量（例えば、平均、分散、等）を算出してもよい。
回答処理部１１６３は、生成した回答分布データ、集約回答データ、統計量のいずれか、これらのうちの任意の組み合わせ、又は全てを含む報告情報（レポート）を生成し、生成した報告情報を情報管理装置２１に送信する。
【００４６】
また、回答処理部１１６３は、有効な回答データを受信する毎に、ポイント加算処理を行ってもよい。ここで、回答処理部１１６３は、ユーザデータを参照して、その発信元である機器データ（例えば、端末装置３１）に対応する累積ポイント情報を特定する。累積ポイント情報は、ユーザ識別データと対応付けられた情報であって、回答に応じて与えられた回答ポイントが累積されたポイントを示す情報である。回答処理部１１６３は、設問属性データを参照して、回答データに応じた設問データに対応したポイント情報が示す回答ポイントを特定する。回答処理部１１６３は、特定した累積ポイント情報が示す累積ポイントに、特定した回答ポイントを加算する。
【００４７】
（ユーザデータの例）
次に、ユーザデータの一例（ユーザデータＴ０１）について説明する。
図３は、ユーザデータの一例（ユーザデータＴ０１）を示す図である。
ユーザデータＴ０１は、（ａ）ユーザＩＤ、（ｂ）生年月日、（ｃ）性別、（ｄ）居住地域、（ｅ）家族構成、（ｆ）興味のジャンル、及び（ｇ）ＴＶ−ＩＤ、が対応付けられたデータである。ユーザデータＴ０１は、ユーザデータ記憶部１１２に記憶される。
例えば、図３の２行目では、（ａ）ユーザＩＤとして「ｑｍ１０１」、（ｂ）生年月日として「１９７０．０１．０１」、（ｃ）性別として「男」、（ｄ）居住地域として「東京」、（ｅ）家族構成として「単身」、（ｆ）興味のあるジャンルとして「野球」、「読書」、及び（ｇ）ＴＶ−ＩＤとして「ｔｖ１０１１」が対応付けられている。
【００４８】
ここで、（ａ）ユーザＩＤは、上述したユーザ識別データに相当する。（ｂ）生年月日、（ｃ）性別、（ｄ）居住地域、（ｅ）家族構成、及び（ｆ）興味のジャンルは、上述したユーザ属性データに相当する。（ｆ）ＴＶ−ＩＤは、機器データに相当する。
なお、ユーザ属性データのいずれか、（例えば、（ｄ）居住地域）、又は、それらの２つ又は３つからなる組、（例えば、（ｅ）家族構成、（ｆ）興味のジャンル）は省略されていてもよい。
【００４９】
なお、（ａ）ユーザＩＤには、機器データの一形態として設問データの配信先となる機器を識別する配信先データがさらに対応付けられていてもよい。配信先データが示す機器は、（ｇ）ＴＶ−ＩＤが示す機器と同一であってもよいし（例えば、端末装置３１）、異なっていてもよい（例えば、端末装置４１）。また、２以上の機器のそれぞれを示す配信先データが対応付けられてもよい。
また、（ａ）ユーザＩＤには、累積ポイント情報が対応付けられていてもよい。
【００５０】
（ユーザ連携データの例）
次に、ユーザ連携データの一例（ユーザ連携データＴ０２）について説明する。
図４は、ユーザ連携データの一例（ユーザ連携データＴ０２）を示す図である。
ユーザ連携データＴ０２は、（ａ）会員ＩＤ、及び（ｂ）ユーザＩＤ、が対応付けられたデータである。ユーザ連携データＴ０２は、ユーザデータ記憶部１１２に記憶される。
例えば、図４の２行目では、（ａ）会員ＩＤとして「ｎｅｔ１０１」と、（ａ）ユーザＩＤとして「ｑｍ１０１」と、が対応付けられている。
ここで、（ａ）会員ＩＤは、上述した会員識別データに相当し、（ｂ）ユーザＩＤはユーザ識別データに相当する。
【００５１】
（視聴データの例）
次に、視聴データの一例（視聴データＬ０１）について説明する。
図５は、視聴データの一例（視聴データＬ０１）を示す図である。
視聴データＬ０１は、（ａ）ＴＶ−ＩＤ、（ｂ）視聴日時、及び（ｃ）番組情報、が対応付けられたデータである。（ｃ）番組情報は、放送局と、番組ＩＤもしくはＣＭ−ＩＤとのセットからなる。放送局は、放送番組を放送する放送局名を示す。番組ＩＤは、各放送番組を識別する識別情報である。ＣＭ−ＩＤは、各ＣＭを識別する識別情報である。視聴データＬ０１は、視聴データ記憶部１１４に記憶される。
例えば、図５の２行目では、（ａ）ＴＶ−ＩＤとして「ｔｖ１０１１」、（ｂ）視聴日時として「２０１３．０７．０１  ２１：００：００−２１：１５：００」、「２０１３．０７．０１  ２１：１５：１５−２１：１５：３０」、（ｃ）番組情報のうち、放送局として「Ａ局」、番組ＩＤとして「ＰＧ１０１」とＣＭ−ＩＤとして「ＣＭ１０１」、が互いに対応付けられている。（ｂ）視聴日時「２０１３．０７．０１  ２１：００：００−２１：１５：００」のうち「２１：００：００」が受信開始時刻又はチャネル切替時刻（つまり、切り替えられたチャネルでの受信開始時刻）を示し、「２１：１５：００」は受信終了時刻又は次のチャネル切替時刻（つまり、切り替えられる前のチャネルでの受信終了時刻）を示す。また、（ｂ）視聴日時「２０１３．０７．０１  ２１：００：００−２１：１５：００」は番組ＩＤ「ＰＧ１０１」に対応付けられ、（ｂ）視聴日時「２０１３．０７．０１  ２１：１５：１５−２１：１５：３０」はＣＭ−ＩＤ「ＣＭ１０１」に対応付けられている。
ここで、（ａ）ＴＶ−ＩＤは、上述した機器データに相当し、（ｂ）視聴日時は、受信日時情報に相当し、（ｃ）番組情報は、コンテンツ識別情報に相当する。
なお、番組ＩＤだけで放送される放送局が特定される場合には、番組情報のうち放送局は省略されてもよい。
【００５２】
（放送データの例）
次に、放送データの一例（放送データＴ０３）について説明する。
図６は、放送データの一例（放送データＴ０３）を示す図である。
放送データＴ０３は、（ａ）番組ＩＤ、（ｂ）放送日時、（ｃ）放送局、（ｄ）タイトル、及び（ｅ）ジャンル、が対応付けられたデータである。（ｄ）タイトルは、番組ＩＤで指定される番組のタイトルである。（ｅ）ジャンルは、その番組が属する種別である。放送データＴ０３は、放送データ記憶部１１８に記憶される。
例えば、図６の２行目では、（ａ）番組ＩＤとして「ＰＧ１０１」、（ｂ）放送日時として「２０１３．０７．０１  ２１：００：００−２２：００：００」、（ｃ）放送局として「Ａ局」、（ｄ）タイトルとして「沖縄の夏（第１回）」、（ｅ）ジャンルとして「ドラマ」が互いに対応付けられている。
【００５３】
ここで、（ａ）番組ＩＤは、上述したコンテンツ識別情報に相当し、（ｂ）放送日時は、放送日時情報に相当し、（ｃ）放送局は、放送事業者情報に相当する。また、（ｄ）タイトルは、表題情報に相当し、（ｅ）ジャンルは、種別情報に相当する。
この例でも、番組ＩＤだけで放送される放送局が特定される場合には、番組情報のうち放送局は省略されてもよい。また、番組ＩＤには、さらに商品ＩＤと対応付けられてもよい。
【００５４】
次に、放送データの他の例（ＣＭデータＴ０４）について説明する。
図７は、放送データの他の例（ＣＭデータＴ０４）を示す図である。
ＣＭデータＴ０４は、（ａ）ＣＭ−ＩＤ、（ｂ）放送日時、（ｃ）放送局、（ｄ）タイトル、（ｅ）ジャンル、及び（ｆ）商品ＩＤ、が対応付けられたデータである。（ｆ）商品ＩＤは、ＣＭ−ＩＤで指定されるＣＭで宣伝対象となる商品を識別するための識別子である。ＣＭデータＴ０４は、放送データ記憶部１１８に記憶される。
例えば、図７の２行目では、（ａ）ＣＭ−ＩＤとして「ＣＭ１０１」、（ｂ）放送日時として「２０１３．０７．０１  ２１：００：００−２１：００：１５」、「２０１３．０７．０１  ２１：１５：１５−２１：１５：３０」、（ｃ）放送局として「Ａ局」、（ｄ）タイトルとして「ドリンクウォーター」、（ｅ）ジャンルとして「飲料」、（ｆ）商品ＩＤとして「ｐｒｏ１０３」が互いに対応付けられている。
ここで、（ａ）ＣＭ−ＩＤは、上述したコンテンツ識別情報に相当し、（ｂ）放送日時は、放送日時情報に相当し、（ｃ）放送局は、放送事業者情報に相当する。また、（ｄ）タイトルは、表題情報に相当し、（ｅ）ジャンルは、種別情報に相当する。
【００５５】
（設問抽出データの例）
次に、設問抽出データの例（アンケート抽出データＴ０５）について説明する。
図８は、設問抽出データの一例（アンケート抽出データＴ０５）を示す図である。
アンケート抽出データＴ０５は、（ａ）商品ＩＤ、（ｂ）商品名、（ｃ）実施条件、及び（ｄ）実施アンケート、が対応付けられたデータである。（ａ）商品ＩＤは、アンケートの対象となる商品を識別するための識別子である。（ｂ）商品名は、商品ＩＤで指定される商品の名称である。（ｃ）実施条件は、その商品に対して行ったユーザの行動である。（ｄ）実施アンケートは、その商品及び実施条件毎に実施すべきアンケートである。
例えば、図８の２行目では、（ａ）商品ＩＤとして「ｐｒｏ１０１」、（ｂ）商品名として「タブレットＡ」、（ｃ）実施条件として「購入」、「閲覧」、（ｄ）実施アンケートとして「ｑｑ１０１」、「ｑｑ１０２」、「ｑｑ１０４」が互いに対応付けられている。また、（ｃ）実施条件「購入」は（ｄ）実施アンケート「ｑｑ１０１」、「ｑｑ１０２」に対応付けられ、（ｃ）実施条件「閲覧」は（ｄ）実施アンケート「ｑｑ１０４」に対応付けられている。
【００５６】
ここで、（ａ）商品ＩＤは、上述の商品情報に相当し、（ｂ）商品名は商品名情報に相当し、（ｃ）実施条件はイベント情報に相当し、（ｄ）実施アンケートは設問識別情報に相当する。
なお、各商品ＩＤには、この例に示すように、複数の実施条件が対応付けられてもよいし、１つの実施条件が対応付けられてもよい。また、商品ＩＤ及び実施条件のセットの各々は、この例に示すように、複数の実施アンケートが対応付けられてもよいし、１つの実施アンケートが対応付けられてもよい。
【００５７】
（設問属性データの例）
次に、設問属性データの例（アンケート属性データＴ０６）について説明する。
図９は、設問属性データの一例（アンケート属性データＴ０６）を示す図である。
アンケート属性データＴ０６は、（ａ）アンケートＩＤ、（ｂ）名前、（ｃ）依頼主、（ｄ）有効期間、（ｅ）回答ポイント、（ｆ）質問数、及び（ｇ）配信条件ＩＤ、が対応付けられたデータである。（ａ）アンケートＩＤは、各アンケートを識別するための識別子である。（ｂ）名前は、アンケートＩＤで指定されるアンケートの名称である。（ｃ）依頼主は、そのアンケートの依頼主である法人又は個人である。（ｄ）有効期間は、そのアンケートの有効期間、つまり端末装置３１、４１等に配信する期間である。（ｅ）回答ポイントは、そのアンケートに対して回答データを送信したことに対してユーザに与えられる報酬となるポイント数である。（ｆ）質問数は、そのアンケートに含まれる質問の数である。（ｇ）配信条件ＩＤは、そのアンケートの配信条件を識別する識別子である。（ｆ）商品ＩＤは、そのアンケートに係る商品を識別する識別子である。
例えば、図９の２行目では、（ａ）アンケートＩＤとして「ｑｑ１０１」、（ｂ）名前として「タブレットの購入１」、（ｃ）依頼主として「事業者Ａ」、（ｄ）有効期間として「２０１３．０７．０１−２０１３．０７．３１」、（ｅ）回答ポイントとして「１」、（ｆ）質問数として「１」、（ｇ）配信条件ＩＤとして「ｄｉｖ１０１」が互いに対応付けられている。
【００５８】
ここで、（ａ）アンケートＩＤは、上述した設問識別情報に相当し、（ｂ）名前は設問表題情報に相当し、（ｃ）依頼主は依頼主情報に相当し、（ｄ）有効期間は有効期間情報に相当し、（ｅ）回答ポイントはポイント情報に相当し、（ｆ）質問数は質問数情報に相当し、（ｇ）配信条件ＩＤは配信条件識別情報に相当する。
この例に示すように、（ｂ）名前、（ｅ）回答ポイント、（ｆ）質問数のいずれか、又はそれらの任意の組み合わせは省略されてもよい。
【００５９】
（配信条件データの例）
次に、配信条件データの例（配信条件データＴ０７）について説明する。
図１０は、配信条件データの一例（配信条件データＴ０７）を示す図である。
配信条件データＴ０７は、（ａ）配信条件ＩＤ、（ｂ）属性、（ｃ）視聴情報、及び（ｄ）アンケート実施上限数、が対応付けられたデータである。（ｂ）属性は、配信先の端末装置のユーザ、つまりアンケート対象者の属性を示す情報である。（ｃ）視聴情報は、アンケート対象者が視聴したコンテンツ、その視聴回数を示す情報である。（ｄ）アンケート実施上限数、配信先の端末装置、つまりアンケート対象者となるユーザの人数の上限である。
例えば、図１０の２行目では、（ａ）配信条件ＩＤとして「ｄｉｖ１０１」、（ｂ）属性として「女性」、「２０歳以上」、（ｃ）視聴情報として「ＣＭ１０１の視聴回数≧１０」、（ｄ）アンケート実施上限数として「３００」が互いに対応付けられている。
【００６０】
ここで、（ａ）配信条件ＩＤは上述の配信条件識別情報に相当し、（ｂ）属性はユーザ属性情報に相当し、（ｃ）視聴情報は受信コンテンツ情報に相当し、（ｄ）アンケート実施上限数は配信制限情報に相当する。このように、配信条件に応じて（ｄ）アンケート実施上限数を設定することによって、各配信条件の母集団となるユーザ数を制限することで上述した分析処理で有用な分析結果を得ることができる。そこで、回答処理部１１６３は、（ｄ）アンケート実施上限数を配信条件毎の回答数の上限として用いてもよい。その場合には、配信条件判定部１１６２は、（ｄ）アンケート実施上限数を無視してもよい。
なお、この例に示すように、（ｂ）属性、（ｃ）視聴情報、（ｄ）アンケート実施上限数の全てが設定されていてもよいし、そのうちの一部が設定されていてもよい。アンケート制御部１１６は、設定されていない項目については、その項目に係る条件としていかなる条件も許容されているものと扱う。
【００６１】
（情報管理装置２１の構成）
次に、情報管理装置２１の構成について説明する。以下の説明では、情報管理装置２１が、商品の提供者（例えば、販売会社）が管理するサーバ装置であり、ユーザが顧客（会員）であって、端末装置４１から要求されたイベントを処理する場合を例にとる。
図１１は、本実施形態に係る情報管理装置２１の構成を示すブロック図である。
情報管理装置２１は、ユーザデータ登録部２１１、ユーザデータ記憶部２１２、イベント処理部２１３、イベントデータ記憶部２１４、及び通信部２１５を含んで構成される。
【００６２】
ユーザデータ登録部２１１は、端末装置４１からユーザ登録要求データを受信したことに応じて、情報処理装置１１とは独立にユーザデータ（例えば、会員情報）を生成する。ユーザデータ登録部２１１で生成されるユーザデータは、例えば、上述した会員識別データ、会員属性データ、及び機器データを対応付けたデータのセットを含んだデータである。会員属性データは、その会員識別データが示す会員の属性を示すデータである。ユーザデータ登録部２１１は、生成したユーザデータ記憶部２１２に記憶する。
【００６３】
ユーザデータ登録部２１１は、情報処理装置１１から会員識別要求データを受信した場合には、会員識別要求データが示す機器データに対応する会員識別データをユーザデータ記憶部２１２から読み出す。ユーザデータ登録部２１１は、読み出したユーザデータを情報処理装置１１に送信する。
ユーザデータ記憶部２１２には、ユーザデータ登録部２１１が生成したユーザデータが記憶される。
【００６４】
イベント処理部２１３は、端末装置４１から受信したイベント要求データが示すイベントに係る処理を行う。イベント要求データは、イベントに係る処理を要求することを示すデータである。イベント要求データは、例えば、会員識別データ、商品名情報、及びイベント情報を対応付けたデータのセットを含むデータである。
例えば、イベント情報が広告情報の閲覧を示す場合、イベント処理部２１３は、受信した商品名情報に対応した広告情報をイベントデータ記憶部２１４から読み出し、読み出した広告情報を端末装置４１にイベント応答情報として送信する。ここで、イベントデータ記憶部２１４には、予め商品名情報と広告情報とを対応付けて記憶させておく。
また、イベント情報が購入を示す場合、イベント処理部２１３は、受信した商品名情報が示す商品についての発送を要求することを示す発送要求情報を、提供者が管理する端末装置（図示せず）に送信する。また、イベント処理部２１３は、その商品の対価の決済を要求する決済要求データを決済処理サーバ装置（図示せず）に送信する。
【００６５】
イベント処理部２１３は、受信した会員識別データ、商品名情報、イベント情報及び要求されたイベントに係るイベント時刻情報を含むイベントデータを生成し、生成したイベントデータを情報処理装置１１に送信する。
【００６６】
イベントデータ記憶部２１４には、イベント処理部２１３が要求されたイベントに係る処理に用いるデータや、そのイベントで生成されたデータを記憶する。イベントデータ記憶部２１４は、例えば、商品名情報と広告情報とを対応付けて記憶し、イベント処理部２１３が生成したイベントデータ（イベントログ）を記憶する。
通信部２１５は、ネットワーク５１に接続し、ネットワーク５１に接続された他の機器（例えば、情報処理装置１１、端末装置３１、４１）との間でデータの送受信を行う。通信部２１５は、例えば、通信インタフェースである。
【００６７】
（端末装置３１の構成）
次に、端末装置３１の構成について説明する。以下の説明では、端末装置３１がテレビジョン放送番組に係るコンテンツデータを受信するテレビジョン受信装置である場合を例にとって説明する。
図１２は、本実施形態に係る端末装置３１の構成を示すブロック図である。
端末装置３１は、表示部３１１、視聴データ取得部３１２、アンケート処理部３１３、入力部３１４、及び通信部３１５を含んで構成される。
【００６８】
表示部３１１には、放送番組のコンテンツデータが通信部３１５から入力され、入力されたコンテンツデータに基づく画像を表示する。また、表示部３１１は、アンケート処理部３１３から入力された設問データが示すアンケートの画像を表示する。表示部３１１は、例えば、液晶ディスプレイである。
視聴データ取得部３１２は、通信部３１５から入力された放送データ（例えば、ＥＰＧ）からその時点で表示部３１１に入力されているコンテンツデータに係る番組情報を抽出する。視聴データ取得部３１２は、その時点の時刻を示す時刻情報と受信状況（例えば、受信開始、受信終了、番組（チャネル）変更）を示す受信状況情報を取得し、受信日時情報を生成する。視聴データ取得部３１２は、抽出した番組情報と、端末装置３１を識別する機器データと、生成した受信日時情報とを対応付けて視聴データを生成し、生成した視聴データを、通信部３１５を介して情報処理装置１１に送信する。
【００６９】
アンケート処理部３１３は、情報処理装置１１から通信部３１５を介して入力された設問データを表示部３１１に出力する。アンケート処理部３１３は、表示部３１１に出力した設問データに対する回答を示す回答データを、入力部３１４から入力された入力データが示す回答情報に基づいて生成する。アンケート処理部３１３は、生成した回答データを、通信部３１５を介して情報処理装置１１に送信する。
【００７０】
入力部３１４は、ユーザの操作を受け付け、受け付けた操作（例えば、操作ボタン）に応じた入力データを生成し、生成した入力データをアンケート処理部３１３及び通信部３１５に出力する。生成した入力データは、例えば、チャネル（選局）情報、回答情報である。チャネル情報は、その時点で放送されている放送番組に係るコンテンツデータを受信するチャネルを示す情報である。回答情報は、設問データが質問毎の回答を示す情報である。入力部３１４は、例えば、リモートコントローラ、ポインティングデバイス、等である。また、入力部３１４は、表示部３１１と一体化されたタッチパネルとして構成されていてもよい。
【００７１】
通信部３１５は、ネットワーク５１に接続し、ネットワーク５１に接続された他の機器（例えば、情報処理装置１１、情報管理装置２１、端末装置４１）との間でデータの送受信を行う。
また、通信部３１５は、入力部３１４からの入力データが示すチャネルのコンテンツデータを、放送伝送路を介して受信する。通信部３１５は、受信したコンテンツデータを表示部３１１に出力し、また、そのコンテンツデータから放送データを抽出し、抽出した放送データを視聴データ取得部３１２に出力する。
通信部３１５は、例えば、ネットワーク５１に接続する通信インタフェースと、放送波を受信するチューナとを含んで構成される。
【００７２】
（端末装置４１の構成）
次に、端末装置４１の構成について説明する。以下の説明では、端末装置４１が多機能携帯電話機である場合を例にとって説明する。
図１３は、本実施形態に係る端末装置４１の構成を示すブロック図である。
端末装置４１は、制御部４１１、入力部４１２、表示部４１３、アンケート処理部４１４、及び通信部４１５を含んで構成される。
【００７３】
制御部４１１は、入力部４１２から入力された入力データに基づいて上述したイベント要求データを生成し、生成したイベント要求データを、通信部４１５を介して情報管理装置２１に送信する。
制御部４１１は、送信したイベント要求データに対応したイベント応答データを、情報管理装置２１からネットワーク５１、通信部４１５を介して受信し、受信したイベント応答データを表示部４１３に出力する。
【００７４】
入力部４１２は、ユーザの操作を受け付け、受け付けた操作に応じた入力データを生成し、生成した入力データを制御部４１１及びアンケート処理部４１４に出力する。生成した入力データは、例えば、上述したイベント情報、回答情報である。入力部４１２は、例えば、ポインティングデバイスである。また、入力部４１２は、表示部４１３と一体化されたタッチパネルとして構成されていてもよい。
【００７５】
表示部４１３は、制御部４１１から入力されたイベント応答データ（例えば、商品の広告情報）が示す画像を表示する。表示部４１３は、アンケート処理部４１４から入力されたアンケートの画像を表示する。表示部４１３は、例えば、液晶ディスプレイである。また、表示部４１３は、入力部４１２と一体化されたタッチパネルとして構成されていてもよい。
【００７６】
アンケート処理部４１４は、情報処理装置１１から通信部４１５を介して受信した設問データを表示部４１３に出力する。アンケート処理部４１４は、表示部４１３に出力した設問データに対する回答を示す回答データを、入力部４１２から入力された入力データが示す回答情報に基づいて生成する。アンケート処理部４１４は、生成した回答データを、通信部４１５を介して情報処理装置１１に送信する。
【００７７】
通信部４１５は、ネットワーク５１に接続し、ネットワーク５１に接続された他の機器（例えば、情報処理装置１１、情報管理装置２１、端末装置３１）との間でデータの送受信を行う。通信部３１５は、例えば、ネットワーク５１に無線で接続する通信インタフェースである。
【００７８】
（情報処理）
次に、本実施形態に係る情報処理装置１１が行う情報処理について説明する。
図１４は、本実施形態に係る情報処理装置１１が行う情報処理を示すフローチャートである。
（ステップＳ１０１）ユーザデータ登録部１１１は、ユーザ識別データ、ユーザ属性データ、及び機器データと、を対応付けたデータのセットを含んだユーザデータを生成し、ユーザデータ記憶部１１２に記憶する。ユーザデータ登録部１１１は、ユーザ識別データと情報管理装置２１に係る会員識別データと、を対応付けたデータのセットを含んだユーザ連携データを生成し、生成したユーザ連携データをユーザデータ記憶部１１２に記憶する。その後、ステップＳ１０２に進む。
【００７９】
（ステップＳ１０２）視聴データ処理部１１３は、端末装置３１から視聴データを受信し、受信した視聴データを視聴データ記憶部１１４に記憶する。その後、ステップＳ１０３に進む。
（ステップＳ１０３）イベント処理部１１９は、情報管理装置２１からイベントデータを受信し、受信したイベントデータを設問抽出部１１６１に出力する。その後、ステップＳ１０４に進む。
【００８０】
（ステップＳ１０４）設問抽出部１１６１は、アンケート抽出データを参照して、イベント処理部１１９から入力されたイベントデータが示すイベントに対応した設問を示す設問識別情報をアンケート記憶部１１５から抽出する（アンケート候補抽出）。この時点では、複数の設問識別情報が抽出されることがある。設問抽出部１１６１は、ユーザ連携データを参照して入力されたイベントデータの会員識別データに対応するユーザ識別データをユーザデータ記憶部１１２から抽出する。設問抽出部１１６１は、抽出した設問識別情報、及びユーザ識別データを配信条件判定部１１６２に出力する。その後、ステップＳ１０５に進む。
（ステップＳ１０５）配信条件判定部１１６２は、ユーザデータを参照して設問抽出部１１６１から入力されたユーザ識別データに対応する機器データ及びユーザ属性データをユーザデータ記憶部１１２から抽出する（端末装置特定）。その後、ステップＳ１０６に進む。
【００８１】
（ステップＳ１０６）配信条件判定部１１６２は、抽出した機器データに対応付けられた視聴データを視聴データ記憶部１１４から抽出する（視聴データ参照）。その後、ステップＳ１０７に進む。
（ステップＳ１０７）配信条件判定部１１６２は、アンケート抽出データを参照して設問抽出部１１６１から入力された設問識別情報の１つについて、対応する配信条件識別情報をアンケート記憶部１１５から抽出する。配信条件判定部１１６２は、抽出した配信条件識別情報が示す配信条件が、抽出したユーザ属性データ、視聴データ、その設問識別情報の配信件数情報が示す配信条件を満たすか否かにより、対応する設問データを配信するか否かを判定する（配信判定）。その後、ステップＳ１０８に進む。
【００８２】
（ステップＳ１０８）配信条件判定部１１６２は、入力された設問識別情報の全て（全アンケート候補）についてステップＳ１０７に係る処理を実行したか否かを判定する。設問識別情報の全てについて実行したと判定された場合には（ステップＳ１０８  ＹＥＳ）、ステップＳ１０９に進む。未処理の設問識別情報があると判定された場合には（ステップＳ１０８  ＮＯ）、配信条件判定部１１６２は、未処理の設問識別情報の１つについて、対応する配信条件識別情報をアンケート記憶部１１５から新たに抽出して、ステップＳ１０７に進む。ステップＳ１０７では、新たに抽出した配信条件識別情報について処理が行われる。
【００８３】
（ステップＳ１０９）配信条件判定部１１６２は、配信すると判定された設問識別情報に対応する設問データをアンケート記憶部１１５から読み出し、読み出した設問データを端末装置３１、４１に配信する。配信条件判定部１１６２は、配信を行う毎に、各設問識別情報について配信件数を１ずつ増加させて設問データ毎の配信件数を計数する。その後、図１４に示す処理を終了する。
【００８４】
次に、本実施形態に係る回答処理部１１６３が行う処理の例について説明する。
図１５は、本実施形態に係る回答処理部１１６３が行う処理の例を示すフローチャートである。
（ステップＳ２０１）回答処理部１１６３は、配信条件判定部１１６２が配信した設問データに対応する回答データを端末装置３１又は端末装置４１から受信する。その後、ステップＳ２０２に進む。
（ステップＳ２０２）回答処理部１１６３は、回答データの発信元である端末装置３１、４１のユーザについて、対応する設問データに応じた回答ポイントを累積ポイント情報に加算する。その後、ステップＳ２０３に進む。
【００８５】
（ステップＳ２０３）回答処理部１１６３は、受信した回答データについて配信条件識別情報毎に集計候補を行い、例えば、回答分布データを生成する。その後、ステップＳ２０４に進む。
（ステップＳ２０４）回答処理部１１６３は、生成した回答分布データを配信条件識別情報間で分析処理（配信条件間分析）を行って分析データを生成する。その後、ステップＳ２０５に進む。
（ステップＳ２０５）回答処理部１１６３は、生成したデータに基づいて報告情報を生成する。その後、ステップＳ２０６に進む。
（ステップＳ２０６）回答処理部１１６３は、生成した報告情報を、例えば情報管理装置に送信する。その後、図１５に示す処理を終了する。
【００８６】
次に、本実施形態に係る端末装置３１、４１が行う情報処理について説明する。
図１６は、本実施形態に係る端末装置３１、４１が行う情報処理を示すフローチャートである。
（ステップＳ３０１）通信部３１５は、入力部３１４からの入力データが示すチャネルのコンテンツデータを、放送伝送路を介して受信する（コンテンツ受信）。その後、ステップＳ３０２に進む。
（ステップＳ３０２）表示部３１１は、通信部３１５から入力されたコンテンツデータに基づく画像を表示する（コンテンツ受信）。その後、ステップＳ３０３に進む。
【００８７】
（ステップＳ３０３）視聴データ取得部３１２は、その時点で表示部３１１に入力されているコンテンツデータに係る番組情報を抽出し、その時点の時刻を示す時刻情報と受信状況に基づいて受信日時情報を生成する。視聴データ取得部３１２は、抽出した番組情報、自機を識別する機器データ、及び生成した受信日時情報を対応付けて生成した視聴データを情報処理装置１１に送信する。その後、ステップＳ３０４に進む。
【００８８】
（ステップＳ３０４）制御部４１１は、操作入力に応じて生成された入力データに基づいてイベント要求データを生成し、生成したイベント要求データを情報管理装置２１に送信する。その後、ステップＳ３０５に進む。
（ステップＳ３０５）アンケート処理部３１３又は４１４は、ステップＳ３０３で送信した視聴データ、ステップＳ３０４で送信したイベント要求データに応じた設問データ（アンケート）を情報処理装置１１から受信する。その後、ステップＳ３０６に進む。
（ステップＳ３０６）アンケート処理部３１３又は４１４は、ユーザの操作による入力データに基づいて回答データを生成する（回答入力）。その後、ステップＳ３０７に進む。
（ステップＳ３０７）アンケート処理部３１３又は４１４は、生成した回答データを情報処理装置１１に送信する。その後、図１６に示す処理を終了する。
【００８９】
このように、本実施形態は、ユーザの行動に対応付けられた設問（例えば、アンケート）を示す設問データを記憶した記憶部（例えば、アンケート記憶部１１５）を用い、ユーザが行った行動（例えば、イベント）に係る行動情報を取得する行動処理部（例えば、イベント処理部１１９）、前記取得した行動情報が示す行動以前にユーザが視聴したコンテンツに係る視聴データに基づいて、設問データを選択する設問制御部（例えば、アンケート制御部１１６）を備える。
これにより、ユーザが視聴したコンテンツがユーザの行動に与えた影響が、設問データが示す設問に対する回答に反映される。そのため、その回答を解析することにより、ユーザが視聴したコンテンツによるユーザの行動への影響の有無を把握することができる。
【００９０】
（第２の実施形態）
次に、本発明の第２の実施形態について、説明する。上述した実施形態と同一の構成について同一の符号を付して説明を援用する。
図１７は、本実施形態に係る情報処理システム１ａの構成を示すブロック図である。
情報処理システム１ａは、情報処理装置１１ａ、情報収集装置１１ｂ、情報管理装置２１、端末装置３１、及び端末装置４１を含んで構成される。即ち、情報処理システム１ａは、情報処理システム１（図１）において情報処理装置１１に代えて情報処理装置１１ａ及び情報収集装置１１ｂを備える。情報処理装置１１ａでは、情報処理装置１１（図２）にいて一部の構成が省略されている。情報収集装置１１ｂは、情報処理装置１１ａで省略された構成を備える。
【００９１】
図１８は、本実施形態に係る情報処理装置１１ａの構成を示すブロック図である。
情報処理システム１ａは、ユーザデータ登録部１１１ａ、ユーザデータ記憶部１１２ａ、アンケート（設問情報）記憶部１１５、アンケート制御部１１６、放送データ取得部１１７、放送データ記憶部１１８、イベント処理部１１９、及び通信部１２０ａを含んで構成される。
情報処理システム１ａは、情報処理システム１（図２）においてユーザデータ登録部１１１、ユーザデータ記憶部１１２に代えて、ユーザデータ登録部１１１ａ、ユーザデータ記憶部１１２ａを備える。また、情報処理システム１ａでは、視聴データ処理部１１３、及び視聴データ記憶部１１４が省略されている。
【００９２】
ユーザデータ登録部１１１ａは、ユーザデータ登録部１１１（図２）と同様に、端末装置３１から受信したユーザ登録要求データに基づいてユーザデータを生成し、生成したユーザデータをユーザデータ記憶部１１２に記憶する。但し、ユーザデータ登録部１１１ａは、ユーザ連携データを取得しなくてもよい。
ユーザデータ記憶部１１２ａには、ユーザデータ記憶部１１２（図２）と同様に、ユーザデータが記憶されるが、ユーザ連携データは記憶されなくてもよい。
【００９３】
通信部１２０ａは、通信部１２０（図２）と同様に、ネットワーク５１に接続し、ネットワーク５１に接続された他の機器（例えば、情報収集装置１１ｂ、情報管理装置２１、端末装置３１、４１）との間でデータの送受信を行う。また、通信部１２０ａは、放送設備から放送伝送路から放送波で受信したコンテンツデータを放送データ取得部１１７に出力する。
【００９４】
図１９は、本実施形態に係る情報収集装置１１ｂの構成を示すブロック図である。
情報収集装置１１ｂは、ユーザデータ登録部１１１ｂ、ユーザデータ記憶部１１２ｂ、視聴データ処理部１１３、視聴データ記憶部１１４、及び通信部１２０ｂを含んで構成される。
ユーザデータ登録部１１１ｂは、ユーザデータ登録部１１１（図２）と同様に、ユーザ連携データを取得し、取得したユーザ連携データをユーザデータ記憶部１１２ｂに記憶する。ユーザデータ登録部１１１ｂは、端末装置３１からユーザ登録要求データを情報処理装置１１ａとは独立に受信する。ユーザデータ登録部１１１ｂは、その端末装置３１を識別する機器データを、ユーザ連携データを形成するユーザ識別データと対応付けてユーザデータ記憶部１１２ｂに記憶する。但し、ユーザデータ登録部１１１ｂは、ユーザデータを取得しなくてもよい。
ユーザデータ記憶部１１２ｂには、ユーザデータ記憶部１１２（図２）と同様に、ユーザ連携データが記憶され、ユーザ連携データを形成するユーザ識別データには、機器データが対応付けて記憶される。
通信部１２０ｂは、ネットワーク５１に接続し、ネットワーク５１に接続された他の機器（例えば、情報処理装置１１ａ、情報管理装置２１、端末装置３１、４１）との間でデータの送受信を行う。
【００９５】
上述したように、情報処理装置１１ａ（図１８）と、情報収集装置１１ｂ（図１９）は、情報処理装置１１（図２）と同様の構成を備えるため、情報処理装置１１と同様の作用、効果を奏する。
ここで、端末装置３１は、生成したユーザ登録要求データを情報処理装置１１ａ、情報収集装置１１ｂに独立に送信し、視聴データを情報収集装置１１ｂに送信する。
また、情報処理装置１１ａの設問抽出部１１６１は、ユーザ識別データを情報収集装置１１ｂのユーザデータ記憶部１１２ｂから抽出する。情報処理装置１１ａの配信条件判定部１１６２は、視聴データを情報収集装置１１ｂの視聴データ記憶部１１４から抽出する。
【００９６】
なお、本実施形態では、情報処理装置１１ａのユーザデータ記憶部１１２ａには、ユーザ連携データは記憶されてもよい。その場合には、情報収集装置１１ｂのユーザデータ記憶部１１２ｂにはユーザ連携データは省略されてもよい。また、その場合には。情報処理装置１１ａの設問抽出部１１６１は、ユーザ識別データを自装置のユーザデータ記憶部１１２ａから抽出する。
【００９７】
従って、本実施形態でも、ユーザの行動に対応付けられた設問（例えば、アンケート）を示す設問データを記憶した記憶部（例えば、アンケート記憶部１１５）を用い、ユーザが行った行動（例えば、イベント）に係る行動情報を取得する行動処理部（例えば、イベント処理部１１９）、前記取得した行動情報が示す行動以前にユーザが視聴したコンテンツに係る視聴データに基づいて、設問データを選択する設問制御部（例えば、アンケート制御部１１６）を備える。
これにより、選択された設問データに対する回答を解析することにより、ユーザが視聴したコンテンツによるユーザの行動への影響の有無を把握することができる。
【００９８】
上述した実施形態によれば、例えば、配信条件データで特定の視聴パターン（例えば、所定のコンテンツの視聴回数、視聴時間（分数）、視聴時間帯）に係る受信コンテンツ情報を設定しておくことで、その視聴パターンを有する視聴データが収集された端末装置３１のユーザの端末装置３１、４１に設問データを送信することもできる。そのため、アンケート対象者を、かかるパターンの視聴履歴を有する者に限定することができる。
逆に、そのパターンを有しない視聴データが収集された端末装置３１のユーザの端末装置３１、４１に設問データを送信することで、アンケート対象者を、かかるパターンの視聴履歴を有しない者に限定することができる。
【００９９】
また、同一の設問識別情報に係る複数の配信条件データ間で、それぞれ異なる視聴データやユーザの属性を設定しておくことで、配信条件の異なるユーザのグループ間で回答の有意差の有無や独立性の有無を調査することができる。
設問抽出データにおいて、視聴データのパターンに応じて異なる設問識別情報を設定しておくことで、視聴パターンの異なるユーザ間で、それぞれ異なる設問のアンケートを実施することができる。
【０１００】
また、上述した実施形態では、ユーザデータ記憶部１１２、１１２ａに１つのユーザ識別データについて２つの端末装置３１、４１をそれぞれ識別する機器データが対応付けられて記憶される場合について説明したが、これには限られない。１つのユーザ識別データについて２つよりも多い数の端末装置を識別する機器データが対応付けられてもよい。
また、上述した実施形態では、主に端末装置４１が制御部４１１を有し、制御部４１１がイベント要求データを生成し、生成したイベント要求データを情報管理装置２１に送信する場合を例にとって説明したが、これには限られない。本実施形態では、端末装置３１が制御部４１１と同様な処理を行うことができる制御部を備え、イベント要求データを生成、送信してもよい。その場合には、ユーザデータ記憶部１１２、１１２ａには、１つのユーザ識別データについて機器データとして端末装置３１を識別する機器データのみが対応付けられていればよい。
また、端末装置３１のアンケート処理部３１３と端末装置４１のアンケート処理部４１４のいずれかは、省略されてもよい。
【０１０１】
また、上述した実施形態によれば、主に情報管理装置２１が、商品の提供者が管理するサーバ装置、ユーザが顧客であって、イベントがその商品の購入、情報の閲覧である場合を例にとって説明したが、これには限られない。情報管理装置２１は、サービスの提供者が管理するサーバ装置、ユーザがサービスの利用者、イベントがそのサービスについての入会登録、退会登録、等であってもよい。
また、情報管理装置２１が、情報閲覧サイト（ウェブサイト）である場合には、イベントがその情報閲覧サイトで管理されている閲覧対象データに対する閲覧であってもよい。
また、情報管理装置２１が、代金決済業者（例えば、クレジットカード会社、デビットカード会社、等）が管理するサーバ装置である場合には、イベントが決済要求（例えば、カード利用による支払い）であってもよい。
【０１０２】
（第３の実施形態（その他の実施形態））
本実施形態は、上述した情報処理装置１１、１１ａの一部、例えば、ユーザデータ登録部１１１、１１１ａ、１１１ｂ、視聴データ処理部１１３、アンケート制御部１１６、放送データ取得部１１７、イベント処理部１１９、情報収集装置１１ｂの一部、例えば、ユーザデータ登録部１１１ｂ、視聴データ処理部１１３、端末装置３１の一部、例えば、視聴データ取得部３１２、アンケート処理部３１３、端末装置４１の一部、例えば、制御部４１１、アンケート処理部４１４を、それぞれコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、情報処理装置１１、１１ａ、情報収集装置１１ｂ、端末装置３１、又は端末装置４１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、本実施形態は、上述した実施形態における情報処理装置１１、１１ａ、情報収集装置１１ｂ、端末装置３１、又は端末装置４１の一部、または全部を、ＬＳＩ（Ｌａｒｇｅ  Ｓｃａｌｅ  Ｉｎｔｅｇｒａｔｉｏｎ）等の集積回路として実現してもよい。情報処理装置１１、１１ａ、情報収集装置１１ｂ、端末装置３１、又は端末装置４１の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１０３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１０４】
１、１ａ…情報処理システム
１１、１１ａ…情報処理装置、
１１１、１１１ａ、１１１ｂ…ユーザデータ登録部、
１１２、１１２ａ、１１２ｂ…ユーザデータ記憶部、
１１３…視聴データ処理部、１１４…視聴データ記憶部、
１１５…アンケート記憶部、１１６…アンケート制御部、１１６１…設問抽出部、
１１６２…配信条件判定部、１１６３…回答処理部、１１７…放送データ取得部、
１１８…放送データ記憶部、１１９…イベント処理部、
１２０、１２０ａ、１２０ｂ…通信部
１１ｂ…情報収集装置、２１…情報管理装置、２１１…ユーザデータ登録部、
２１２…ユーザデータ記憶部、２１３…イベント処理部、２１４…イベントデータ記憶部、
２１５…通信部、
３１…端末装置、３１１…表示部、３１２…視聴データ取得部、
３１３…アンケート処理部、３１４…入力部、３１５…通信部、
４1…端末装置、４１１…制御部、４１２…入力部、４１３…表示部、
４１４…アンケート処理部、４１５…通信部、
【図１】
2015032921.tif 000003
【図２】
2015032921.tif 000004
【図３】
2015032921.tif 000005
【図４】
2015032921.tif 000006
【図５】
2015032921.tif 000007
【図６】
2015032921.tif 000008
【図７】
2015032921.tif 000009
【図８】
2015032921.tif 000010
【図９】
2015032921.tif 000011
【図１０】
2015032921.tif 000012
【図１１】
2015032921.tif 000013
【図１２】
2015032921.tif 000014
【図１３】
2015032921.tif 000015
【図１４】
2015032921.tif 000016
【図１５】
2015032921.tif 000017
【図１６】
2015032921.tif 000018
【図１７】
2015032921.tif 000019
【図１８】
2015032921.tif 000020
【図１９】
2015032921.tif 000021